(57)【特許請求の範囲】
【請求項１】
記録媒体から、インターリーブ処理が施された複数のデータセグメントを含む第１のディジタルデータを読み取るデータ読取部と、
インターリーブ処理が施された複数のデータセグメントを含む第２のディジタルデータを供給するデータ供給部と、
上記データ読取部により読み取られた上記第１のディジタルデータにおける複数のデータセグメントがインターリーブ処理状態に応じて書き込まれるとともに、上記第２のディジタルデータにおける複数のデータセグメントの配列状態に応じて、上記第１のディジタルデータにおける複数のデータセグメントの読出しが順次行われるメモリ部と、
上記第１のディジタルデータにおける複数のデータセグメントに夫々対応する複数の係数データセグメントを含んだ第１の係数データ、及び、上記第２のディジタルデータにおける複数のデータセグメントに夫々対応する複数の係数データセグメントを含んだ第２の係数データを供給する係数データ形成部と、
上記メモリ部から読み出された第１のディジタルデータに含まれる複数のデータセグメントと上記第１の係数データに含まれる複数の係数データセグメントとにおける相互に対応するもの同士についての乗算処理、及び、上記データ供給部からの第２のディジタルデータに含まれる複数のデータセグメントと上記第２の係数データに含まれる複数の係数データセグメントとにおける相互に対応するもの同士についての乗算処理を行う乗算部と、
該乗算部から得られる上記第１のディジタルデータにおける複数のデータセグメントに基づく乗算出力データを上記第２のディジタルデータにおける複数のデータセグメントに基づく乗算出力データに加算して編集用ディジタルデータを得るデータ加算部と、
該データ加算部から得られる編集用ディジタルデータについての、上記記録媒体における上記乗算部に供給された第１のディジタルデータが上記データ読取部により読み取られた位置への記録を行うデータ記録部と、
を備え、
上記係数データ形成部が、上記第１及び第２のディジタルデータの夫々におけるインターリーブ処理がなされた複数のデータセグメントの配列状態特性に応じた係数ソースデータを格納した係数ソースデータ格納手段，上記複数のデータセグメントの配列状態特性に従ったカウント動作を行うカウント手段，該カウント手段のカウント結果に応じて、上記係数ソースデータ格納手段から得られる係数ソースデータについての演算を行う演算手段、及び、該演算手段から得られる演算結果に基づいて上記第１及び第２の係数データを得るデータ出力手段を含んで成ることを特徴とするディジタル情報記録再生装置。
【請求項２】
上記係数データ形成部から上記第１及び第２の係数データが供給されるとき、該第１及び第２の係数データの夫々に含まれる複数の係数データセグメントの供給開始時点が、上記第１のディジタルデータにおける所定の周期に対応して定められ、上記乗算部における上記第１のディジタルデータに含まれる複数のデータセグメントと上記第１の係数データに含まれる複数の係数データセグメントとにおける相互に対応するもの同士についての乗算処理、及び、上記第２のディジタルデータに含まれる複数のデータセグメントと上記第２の係数データに含まれる複数の係数データセグメントとにおける相互に対応するもの同士についての乗算処理が、上記第１のディジタルデータにおける所定の周期の始端から開始されることを特徴とする請求項１記載のディジタル情報記録再生装置。
【請求項３】
上記係数データ形成部から上記第１及び第２の係数データが供給されるとき、上記第１及び第２の係数データの夫々に含まれる複数の係数データセグメントの供給開始時点が、上記第１のディジタルデータにおける所定の周期に対応することなく定められ、上記乗算部における上記第１のディジタルデータに含まれる複数のデータセグメントと上記第１の係数データに含まれる複数の係数データセグメントとにおける相互に対応するもの同士についての乗算処理、及び、上記第２のディジタルデータに含まれる複数のデータセグメントと上記第２の係数データに含まれる複数の係数データセグメントとにおける相互に対応するもの同士についての乗算処理が、上記第１のディジタルデータにおける所定の周期の途中から開始されることを特徴とする請求項１記載のディジタル情報記録再生装置。
【請求項４】
上記乗算部における上記第１のディジタルデータに含まれる複数のデータセグメントと上記第１の係数データに含まれる複数の係数データセグメントとにおける相互に対応するもの同士についての乗算処理、及び、上記第２のディジタルデータに含まれる複数のデータセグメントと上記第２の係数データに含まれる複数の係数データセグメントとにおける相互に対応するもの同士についての乗算処理が、上記データ加算部から得られる編集用ディジタルデータを、上記第１のディジタルデータに含まれる複数のデータセグメントに基づく乗算出力データと上記第２のディジタルデータに含まれる複数のデータセグメントに基づく乗算出力とについてのクロスフェード処理が行われて得られるものとなすことを特徴とする請求項１，２，または３記載のディジタル情報記録再生装置。
【請求項５】
上記第１及び第２のディジタルデータの夫々に含まれる複数のデータセグメントについてのインターリーブ処理が、該第１及び第２のディジタルデータの夫々に含まれる複数のデータセグメントの配列に複数の規則性を生じさせるべく行われ、上記係数データ形成部が、上記複数の規則性に応じた複数の係数ソースデータを夫々格納した複数の係数ソースデータ格納手段を含んで成ることを特徴とする請求項１記載のディジタル情報記録再生装置。
【請求項６】
上記係数データ形成部に含まれる演算手段が、上記複数の係数ソースデータ格納手段から夫々得られる係数ソースデータを順次加え合わせて加算された係数ソースデータを得、該加算された係数ソースデータを上記係数データ形成部に含まれるデータ出力手段に供給することを特徴とする請求項５記載のディジタル情報記録再生装置。
【請求項７】
上記係数データ形成部に含まれるデータ出力手段が、上記複数の係数データセグメントが所定の順序をもって配列されて成る第１の係数データと、複数の係数データセグメントが、上記第１の係数データの係数データセグメントの配列順とは逆の順序をもって配列されて成る第２の係数データとを得ることを特徴とする請求項１または６記載のディジタル情報記録再生装置。
【発明の詳細な説明】
【０００１】
【発明の属する技術分野】
本発明は、情報信号に基づくディジタル情報データを形成して、そのディジタル情報データを記録媒体に記録する動作、及び、ディジタル情報データが記録された記録媒体からそのディジタル情報データを読み取り、読み取られたディジタル情報データに基づいて情報信号を再生する動作を行うディジタル情報記録再生装置に関する。
【０００２】
【従来の技術】
テレビジョン信号をディジタルデータ化して、磁気テープ上に、その長手方向に対して傾斜する傾斜記録トラックを配列形成して記録し、また、ディジタルデータ化されたテレビジョン信号が傾斜記録トラックを配列形成して記録された磁気テープから、ディジタルデータ化されたテレビジョン信号を読み取ってアナログ化し、再生テレビジョン信号を得る、所謂、ディジタルビデオテープレコーダ（ディジタルＶＴＲ）が、磁気テープを用いてのテレビジョン信号の記録及び再生を、テレビジョン信号の質の低下を実質的にもたらすことなく行えるものとして提案されている。斯かるディジタルＶＴＲについては、その例に関する記載を、例えば、日経ＢＰ社により発行された文献：『日経エレクトロニクス(NIKKEI ELECTRONICS)』, 10-11 1993 (No. 592), 第115 〜 122頁  にも見ることができる。
【０００３】
このようなディジタルＶＴＲの場合においても、例えば、テレビジョン信号の各フレーム分が記録区分とされるが、テレビジョン信号の１フレーム分とそれが記録される磁気テープにおける記録態様との関係は、その一例が図６に示される如くとされる。図６に示される例においては、テレビジョン信号の１フレーム分にアナログ／ディジタル変換（Ａ／Ｄ変換）が施されて得られるディジタルデータが、磁気テープＴＰに順次配列形成される傾斜記録トラックＴＫのうちの順次隣り合う１０本に振り分けられて記録される。斯かる記録は、ディジタルデータが供給される回転磁気ヘッドが磁気テープＴＰを走査することによって行われ、図６における矢印ＤＴ及び矢印ＤＨは、夫々、磁気テープＴＰの走行方向及び磁気テープＴＰに対する回転磁気ヘッドの走査方向を示す。
【０００４】
磁気テープＴＰに配列形成される多数の傾斜記録トラックＴＫの各々には、その始端側から終端側に向けて、その傾斜記録トラックＴＫにおけるデータ構造をあらわし、また、データ編集等に際しての位置の基準となるデータが記録された領域ＩＴ，テレビジョン信号中のオーディオ信号の内容をあらわすオーディオ情報データが記録された領域ＡＤ，テレビジョン信号中のビデオ信号の内容をあらわすビデオ情報データが記録された領域ＶＤ、及び、時間情報をあらわすタイムコードデータが記録された領域ＳＣが形成される。
【０００５】
１本の傾斜記録トラックＴＫにおける領域ＡＤに記録されるオーディオ情報データは、例えば、データ同期ブロック部を主要部分とし、そのデータ同期ブロック部の前後に夫々プリアンブル部及びポストアンブル部が配されて構成され、主要部分を成すデータ同期ブロック部は、例えば、図７に示される如くのコーディング・フォーマットに従うものとされる。このコーディング・フォーマットにあっては、同期ブロック番号ｉが２〜１５とされる１４個のデータ同期ブロックを含み、各データ同期ブロックは、バイトポジション番号ｊが０〜８９とされる９０バイトをもって形成されている。
【０００６】
同期ブロック番号ｉが２〜１０である９個のデータ同期ブロックの各々は、最初の２バイト（バイトポジション番号ｊが０及び１）が同期データとされて、その次の３バイト（バイトポジション番号ｊが２〜４）がＩＤコードとされ、さらに次の５バイト（バイトポジション番号ｊが５〜９）がオーディオ補助データとされて、それに続く７２バイト（バイトポジション番号ｊが１０〜８１）がオーディオデータとされ、そのオーディオデータに８バイト（バイトポジション番号ｊが８２〜８９）のインナーパリティが付加されて構成されている。ＩＤコードは、傾斜記録トラックに関する記録態様，同期ブロック番号ｉ等についての情報をあらわし、また、オーディオ補助データは、構成ビット数等を含むオーディオデータの記録条件に関する情報をあらわす。
【０００７】
同期ブロック番号ｉが２〜１０である９個のデータ同期ブロックの各々におけるオーディオデータ（同期ブロック番号ｉが２〜１０であるオーディオデータ）は、図８において同期ブロック番号ｉが２及び３であるものが例示される如く、各々が２バイト構成とされる３６個のデータセグメントを含むものとされる。これらのデータセグメントは、本来、図８に示される如くに、同期ブロック番号ｉが２であるオーディオデータにおける最初のものから、同期ブロック番号ｉが１０であるオーディオデータにおける最後のものまで、例えば、Ｄ０〜Ｄ３２３の連続したセグメント番号をもってあらわれる。しかしながら、実際に各傾斜記録トラックＴＫにおける領域ＡＤに記録されるオーディオ情報データにあっては、例えば、１０本の傾斜記録トラックＴＫに分散されて記録される１フレーム分のオーディオ情報データ全体におけるオーディオデータを単位とした、符号エラーの低減のための、データセグメントについてのインターリーブ処理が施される。従って、１本の傾斜記録トラックＴＫにおける領域ＡＤに記録されるオーディオ情報データに含まれるオーディオデータにあっては、同期ブロック番号ｉが２〜１０であるオーディオデータの各々を構成する３６個のデータセグメントが、それらのセグメント番号を、順番通りのものでなく、インターリーブ処理に応じた配列がなされたものとすることになる。
【０００８】
また、同期ブロック番号ｉが１１〜１５である５個のデータ同期ブロックの各々は、最初の２バイト（バイトポジション番号ｊが０及び１）が同期データとされて、その次の３バイト（バイトポジション番号ｊが２〜４）がＩＤコードとされ、それに続く７７バイト（バイトポジション番号ｊが５〜８１）がアウターパリティとされ、そのアウターパリティに８バイト（バイトポジション番号ｊが８２〜８９）のインナーパリティが付加されて構成されている。従って、オーディオデータは、同期ブロック番号ｉが２〜１０であり、かつ、バイトポジション番号ｊが１０〜８１である、図７において斜線が付されて示される範囲内に存在していることになる。
【０００９】
図９は、１０本の傾斜記録トラックＴＫ（０番目の記録トラック〜９番目の記録トラック) が、０番目の記録トラックから４番目の記録トラックまでの５本の傾斜記録トラックＴＫの組及び５番目の記録トラックから９番目の記録トラックまでの５本の傾斜記録トラックＴＫの組に分けられるもとで、各組の５本の傾斜記録トラックＴＫに分散されて記録される、各傾斜記録トラックＴＫについて同期ブロック番号ｉが２であるオーディオデータにおける最初のデータセグメントから同期ブロック番号ｉが１０であるオーディオデータにおける最後のデータセグメントまでとされる、全体でＤ０〜Ｄ１６１９の連続したセグメント番号をもってあらわれるデータセグメントを有したオーディオデータに、インターリーブ処理が施されて、Ｄ０〜Ｄ１６１９のセグメント番号の順序が代えられた状態の一例を示す。Ｄ０〜Ｄ１６１９のセグメント番号が付されたデータセグメントの夫々は２バイト構成とされている。
【００１０】
このようなもとで、ディジタルＶＴＲにより、上述の如くの磁気テープＴＰに多数配列形成される傾斜記録トラックＴＫの夫々から、その領域ＡＤに記録されたオーディオ情報データを含むテレビジョン信号をあらわすディジタル複合データを読み取って、そのディジタル複合データに基づく再生テレビジョン信号を得るにあたり、再生テレビジョン信号が得られるだけでなく、オーディオ情報データについての編集を行えるようにされることが望まれる事態がしばしばみられる。斯かるオーディオ情報データについての編集は、例えば、傾斜記録トラックＴＫにおける領域ＡＤに記録されたオーディオ情報データの一部を、それに含まれるオーディオデータが別のオーディオデータによって置き換えられたオーディオ情報データに変えることとされる。
【００１１】
そのため、オーディオ情報データについての編集にあたっては、読取用回転磁気ヘッドにより各傾斜記録トラックＴＫにおける領域ＡＤに記録されたオーディオ情報データを順次読み取り、読み取られたオーディオ情報データの一部に含まれるオーディオデータを、それとは異なる他のオーディオデータにより、例えば、比較的短い期間内において、一方のオーディオデータが次第に低減していき消滅するとともに、他方のオーディオデータが出現して次第に増大していく状態を生じさせるクロスフェード手法をもって置き換え、置き換えられた新たなオーディオデータを含むオーディオ情報データを形成して、それを、複数の傾斜記録トラックＴＫの夫々における領域ＡＤのうちの、読取用回転磁気ヘッドにより読み取られた元のオーディオ情報データの一部が記録されたものに、記録用回転磁気ヘッドを用いて記録することになる。
【００１２】
そして、このようなオーディオ情報データについての編集動作を、磁気テープＴＰに多数配列形成される傾斜記録トラックＴＫに記録されるオーディオ情報データが、例えば、図９に示される如くにして、インターリーブ処理が施される状況のもとで行うことが要求される。
【００１３】
そこで、本願に係る出願人は、先に、インターリーブ処理が施されたディジタル情報データが記録された記録媒体からそのディジタル情報データを読み取り、読み取られたディジタル情報データの一部に他のインターリーブ処理が施されたディジタル情報データによる、例えば、クロスフェード手法をもっての置換処理を施し、当該置換処理が施されたディジタル情報データの一部を、記録媒体における元のインターリーブ処理が施されたディジタル情報データの一部が読み取られた位置に記録する編集動作を行うことができ、それにより、例えば、磁気テープに記録されたテレビジョン信号をあらわすディジタル複合データに含まれるインターリーブ処理が施されたオーディオ情報データについて、その一部を別のインターリーブ処理が施されたオーディオ情報データによりクロスフェード手法をもって置換える編集を適正に行うことができるディジタルＶＴＲを実現することができるディジタル情報記録再生装置を提案した（特願平８−８４００６号）。
【００１４】
この本願に係る出願人によって先に提案されたディジタル情報記録再生装置にあっては、記録媒体から読み取られるインターリーブ処理が施された複数のデータセグメントを含む第１のディジタルデータと、その第１のディジタルデータの一部との置換えがなされるべく供給される、インターリーブ処理が施された複数のデータセグメントを含む第２のディジタルデータとの夫々に対して、第１のディジタルデータに含まれる複数のデータセグメントに夫々対応する複数の係数データセグメントを含んだ第１の係数データと、第２のディジタルデータに含まれる複数のデータセグメントに夫々対応する複数の係数データセグメントを含んだ第２の係数データとが用意される。そして、第１のディジタルデータを形成する複数のデータセグメントと第１の係数データを形成する複数の係数データセグメントとにおける相互に対応するもの同士についての乗算処理，第２のディジタルデータを形成する複数のデータセグメントと第２の係数データを形成する複数の係数データセグメントとにおける相互に対応するもの同士についての乗算処理、及び、第１のディジタルデータに基づく乗算出力データを第２のディジタルデータに基づく乗算出力データに加算して編集用ディジタルデータを得る加算処理が、第１のディジタルデータがそれを構成する複数のデータセグメントについてのインターリーブ処理が施された状態にあり、また、第２のディジタルデータがそれを構成する複数のデータセグメントについてのインターリーブ処理が施された状態にあるもとで行われる。
【００１５】
それにより、インターリーブ処理が施された複数のデータセグメントを有する第１のディジタルデータが記録媒体から読み取られた時点から、その第１のディジタルデータに対応した編集用ディジタルデータについてのデータ記録部への供給までに要されるデータ処理時間が、比較的短い時間とされて、編集用ディジタルデータについての、記録媒体における第１のディジタルデータが読み取られた位置への記録を適正に行えることになる。従って、本願に係る出願人によって先に提案されたディジタル情報記録再生装置によれば、ディジタルＶＴＲを構成するものとされる場合、磁気テープに記録されたテレビジョン信号をあらわすディジタル複合データに含まれるオーディオ情報データについての、その一部に対する別のオーディオ情報データによるクロスフェード手法をもっての置換え等とされる編集を適正に実施できることになる。
【００１６】
【発明が解決しようとする課題】
上述の如くに、インターリーブ処理が施された複数のデータセグメントを有する第１のディジタルデータについて、その一部を、インターリーブ処理が施された複数のデータセグメントを有する第２のディジタルデータにより、クロスフェード手法をもって置き換える編集を行うことができるようにされたディジタル情報記録再生装置にあっては、インターリーブ処理が施された複数のデータセグメントを含む第１のディジタルデータと、同じくインターリーブ処理が施された複数のデータセグメントを含む第２のディジタルデータとの夫々に対して、第１及び第２のディジタルデータのうちの一方における、インターリーブ処理が施された複数のデータセグメントに夫々対応する複数の係数データセグメントを含んだ第１の係数データと、第１及び第２のディジタルデータのうちの他方における、インターリーブ処理が施された複数のデータセグメントに夫々対応する複数の係数データセグメントを含んだ第２の係数データとを用意することが必要である。
【００１７】
このような、各々がインターリーブ処理が施された複数のデータセグメントに夫々対応する複数の係数データセグメントを含むものとされる第１及び第２の係数データの用意にあたり、斯かる第１及び第２の係数データを形成して供給する役割を果たす部分は、通常、その回路構成が比較的複雑で大規模になってしまうことになる。
【００１８】
斯かる点に鑑み、本願の特許請求の範囲における請求項１から請求項７までのいずれかに記載された発明は、記録媒体に記録された、インターリーブ処理が施された複数のデータセグメントを有する第１のディジタルデータについて、その一部を、インターリーブ処理が施された複数のデータセグメントを有する第２のディジタルデータにより、例えば、クロスフェード手法をもって置き換える編集を行うことができ、その編集にあたって必要とされる、第１及び第２のディジタルデータのうちの一方におけるインターリーブ処理が施された複数のデータセグメントに夫々対応する複数の係数データセグメントを含んだ第１の係数データ、及び、第１及び第２のディジタルデータのうちの他方におけるインターリーブ処理が施された複数のデータセグメントに夫々対応する複数の係数データセグメントを含んだ第２の係数データを、比較的簡単で大規模とならない回路構成をもって形成しかつ供給することができる、改良されたディジタル情報記録再生装置を提供する。
【００１９】
【課題を解決するための手段】
本願の特許請求の範囲における請求項１から請求項７までのいずれかに記載された発明に係るディジタル情報記録再生装置は、記録媒体からインターリーブ処理が施された複数のデータセグメントを含む第１のディジタルデータを読み取るデータ読取部と、インターリーブ処理が施された複数のデータセグメントを含む第２のディジタルデータを供給するデータ供給部と、データ読取部により読み取られた第１のディジタルデータにおける複数のデータセグメントがインターリーブ処理状態に応じて書き込まれるとともに、第２のディジタルデータにおける複数のデータセグメントの配列状態に応じて、第１のディジタルデータにおける複数のデータセグメントの読出しが順次行われるメモリ部と、第１のディジタルデータに含まれる複数のデータセグメントに夫々対応する複数の係数データセグメントを含んだ第１の係数データ、及び、第２のディジタルデータに含まれる複数のデータセグメントに夫々対応する複数の係数データセグメントを含んだ第２の係数データを供給する係数データ形成部と、メモリ部から読み出された第１のディジタルデータに含まれる複数のデータセグメントと第１の係数データ含まれる複数の係数データセグメントとにおける相互に対応するもの同士についての乗算処理、及び、データ供給部からの第２のディジタルデータに含まれる複数のデータセグメントと第２の係数データに含まれる複数の係数データセグメントとにおける相互に対応するもの同士についての乗算処理を行う乗算部と、乗算部から得られる第１のディジタルデータに含まれる複数のデータセグメントに基づく乗算出力データを第２のディジタルデータに含まれる複数のデータセグメントに基づく乗算出力データに加算して編集用ディジタルデータを得るデータ加算部と、データ加算部から得られる編集用ディジタルデータについての、記録媒体における乗算部に供給された第１のディジタルデータがデータ読取部により読み取られた位置への記録を行うデータ記録部とを備えて成り、係数データ形成部が、第１及び第２のディジタルデータの夫々におけるインターリーブ処理がなされた複数のデータセグメントの配列状態特性に応じた係数ソースデータを格納した係数ソースデータ格納手段，複数のデータセグメントの配列状態特性に従ったカウント動作を行うカウント手段，カウント手段のカウント結果に応じて、係数ソースデータ格納手段から得られる係数ソースデータについての演算を行う演算手段、及び、演算手段から得られる演算結果に基づいて第１及び第２の係数データを得るデータ出力手段を含んで構成される。
【００２０】
このように構成される本願の特許請求の範囲における請求項１から請求項７までのいずれかに記載された発明に係るディジタル情報記録再生装置にあっては、乗算部による、第１のディジタルデータに含まれる複数のデータセグメントと第１の係数データに含まれる複数の係数データセグメントとにおける相互に対応するもの同士についての乗算処理、及び、第２のディジタルデータに含まれる複数のデータセグメントと第２の係数データに含まれる複数の係数データセグメントとにおける相互に対応するもの同士についての乗算処理と、データ加算部による第１のディジタルデータに含まれる複数のデータセグメントに基づく乗算出力データを第２のディジタルデータに含まれる複数のデータセグメントに基づく乗算出力データに加算して編集用ディジタルデータを得る加算処理とが、第１のディジタルデータがそれを構成する複数のデータセグメントについてのインターリーブ処理が施された状態にあり、また、第２のディジタルデータがそれを構成する複数のデータセグメントについてのインターリーブ処理が施された状態にあるもとで行われる。
【００２１】
それにより、インターリーブ処理が施された複数のデータセグメントを有する第１のディジタルデータが記録媒体から読み取られた時点から、その第１のディジタルデータに対応する、データ加算部からの編集用ディジタルデータについての、データ記録部への供給までに要されるデータ処理時間が、比較的短い時間とされて、編集用ディジタルデータについての、記録媒体における第１のディジタルデータが読み取られた位置への記録を適正に行えることになる。
【００２２】
そして、係数データ形成部が、第１及び第２のディジタルデータの夫々におけるインターリーブ処理がなされた複数のデータセグメントの配列状態特性に応じた係数ソースデータを格納した係数ソースデータ格納手段、及び、第１及び第２のディジタルデータの夫々におけるインターリーブ処理がなされた複数のデータセグメントの配列状態特性に従ったカウント動作を行うカウント手段を備えたもとで、演算手段により、カウント手段のカウント結果に応じて係数ソースデータ格納手段から得られる係数ソースデータについての演算を行い、データ出力手段によって、演算手段から得られる演算結果に基づいて第１及び第２の係数データを得るものとされることにより、係数データ形成部の回路構成の簡略化及び小規模化が図られることになる。
【００２３】
従って、本願の特許請求の範囲における請求項１から請求項７までのいずれかに記載された発明に係るディジタル情報記録再生装置においては、記録媒体に記録された、インターリーブ処理が施された複数のデータセグメントを有する第１のディジタルデータについて、その一部が、インターリーブ処理が施された複数のデータセグメントを有する第２のディジタルデータにより、例えば、クロスフェード手法をもって置き換える編集が適正に行われ、しかも、その編集にあたって必要とされる、第１のディジタルデータに含まれるインターリーブ処理が施された複数のデータセグメントに夫々対応する複数の係数データセグメントを含んだ第１の係数データ、及び、第２のディジタルデータに含まれるインターリーブ処理が施された複数のデータセグメントに夫々対応する複数の係数データセグメントを含んだ第２の係数データが、比較的簡単で大規模とならない回路構成を有する係数データ形成部によって形成されかつ供給されることになる。
【００２４】
【発明の実施の形態】
図２は、本願の特許請求の範囲における請求項１から請求項７までのいずれかに記載ささた発明に係るディジタル情報記録再生装置の一例を示す。この図２に示される例は、テレビジョン信号に基づいてそのテレビジョン信号をあらわすディジタル複合データを形成し、形成されたディジタル複合データを記録媒体に記録する動作、及び、テレビジョン信号をあらわすディジタル複合データが記録された記録媒体からそのディジタル複合データを読み取り、読み取られたディジタル複合データに基づいてテレビジョン信号を再生する動作を行うものとされ、図６に示される如くにして傾斜記録トラックＴＫが配列形成される磁気テープＴＰと共に用いられるディジタルＶＴＲを構成するものとされている。
【００２５】
そして、図２に示される例にあっては、図６に示される如くにして傾斜記録トラックＴＫが配列形成される磁気テープＴＰと共に用いられるもとで、読取用回転磁気ヘッド１１により磁気テープＴＰからテレビジョン信号をあらわすディジタル複合データＤＴＴが読み取られる。このディジタル複合データＤＴＴは、ビデオ情報データ，オーディオ情報データ及び他のデータを含んでおり、オーディオ情報データは、図７に示されるコーディング・フォーマット中におけるオーディオデータとしてのコーディングがなされ、図９に示される如くの態様をもってインターリーブ処理が施されたデータセグメントの配列により構成されたオーディオデータ、及び、同期データ，ＩＤコード，オーディオ補助データ等のオーディオデータに対する付属情報データが含まれている。
【００２６】
読取用回転磁気ヘッド１１から得られるディジタル複合データＤＴＴは、再生増幅部１２により増幅され、イコライザ部１３を通じて、インナーパリティ誤訂正部１４に供給される。インナーパリティ誤訂正部１４においては、ディジタル複合データＤＴＴに含まれたビデオ情報データ及びオーディオ情報データの夫々についての、それが有するインナーパリティにより検出された符号エラーについての誤訂正処理が行われ、それにより得られる複合データＤＴＯが、アウターパリティ誤訂正部１５及びオーディオ・アウターパリティ誤訂正部１６の夫々に供給される。
【００２７】
アウターパリティ誤訂正部１５においては、複合データＤＴＯに含まれたビデオ情報データ及びオーディオ情報データの夫々についての、それが有するアウターパリティにより検出された符号エラーについての誤訂正処理が行われるとともに、誤訂正処理が行われたビデオ情報データＤＶＯが導出され、さらに、誤訂正処理が行われたオーディオ情報データＤＡＯが導出される。ビデオ情報データＤＶＯは、図２における図示が省略されたビデオ情報処理部に供給され、また、オーディオ情報データＤＡＯは、スイッチ１７の選択接点１７ａに供給される。
【００２８】
オーディオ・アウターパリティ誤訂正部１６においては、複合データＤＴＯに含まれたオーディオ情報データについての、それが有するアウターパリティにより検出された符号エラーについての誤訂正処理が行われて、誤訂正処理が行われたオーディオ情報データＤＡＱが得られて、それがエディット部１８に供給される。オーディオ・アウターパリティ誤訂正部１６において行われる複合データＤＴＯに含まれたオーディオ情報データについての誤訂正処理は、オーディオ情報データについてビデオ情報データとは無関係に行われる誤訂正処理とされるので、所要処理時間は比較的短い時間で済むものとされる。例えば、オーディオ・アウターパリティ誤訂正部１６における誤訂正処理に要される処理時間は、読取用回転磁気ヘッド１１が各傾斜記録トラックＴＫについての走査を行う周期に相当する時間より小とされる。
【００２９】
一方、選択された期間において、オーディオ信号ＳＲがオーディオ信号入力端子２１を通じてＡ／Ｄ変換部２２に供給される。Ａ／Ｄ変換部２２においては、オーディオ信号ＳＲが供給されると、それについてのＡ／Ｄ変換が行われて、オーディオ信号ＳＲに基づくオーディオデータＤＡＲが得られる。Ａ／Ｄ変換部２２におけるオーディオ信号ＳＲについてのＡ／Ｄ変換は、それにより得られるオーディオデータＤＡＲが、図７に示されるコーディング・フォーマット中におけるオーディオデータとしてのコーディングがなされたものとなるように行われる。即ち、Ａ／Ｄ変換部２２から得られるオーディオデータＤＡＲも、図７に示されるコーディング・フォーマットにおいて斜線が付されて示されている、同期ブロック番号ｉが２〜１０であり、かつ、バイトポジション番号ｊが１０〜８１である範囲内に存在するものとされるのである。
【００３０】
そして、Ａ／Ｄ変換部２２から得られるオーディオデータＤＡＲは、ディジタル信号処理部２３において必要な処理が施された後、インターリーブ処理部２４に供給される。インターリーブ処理部２４においては、オーディオデータＤＡＲに対し、１フレーム分を単位とするもとで、それを構成するデータセグメントについてのインターリーブ処理が、図９に示される如くの態様をもって施され、それにより、データセグメントの配列態様がオーディオ情報データＤＡＱに含まれるオーディオデータを構成するデータセグメントの配列態様と同様とされて成る、インターリーブ処理が施されたオーディオデータが得られる。
【００３１】
また、インターリーブ処理部２４には、例えば、マイクロコンピュータによって形成される制御ブロック２５から、図７に示される如くの同期データ，ＩＤコード，オーディオ補助データ等のオーディオデータに対する付属情報データをあらわす制御情報データＤＩＡが供給され、それにより、インターリーブ処理部２４において、インターリーブ処理が施されたオーディオデータに、それに対する付属情報データである同期データ，ＩＤコード及びオーディオ補助データが付加されて、オーディオ情報データＤＲＩが形成される。
【００３２】
そして、インターリーブ処理部２４から得られるオーディオ情報データＤＲＩは、エディット部１８に供給されるとともに、スイッチ２６の選択接点２６ａに供給される。エディット部１８には、オーディオ・アウターパリティ誤訂正部１６からのオーディオ情報データＤＡＱ及びインターリーブ処理部２４からのオーディオ情報データＤＲＩに加えて、フレーム基準信号ＰＦ，イネーブル信号ＰＥ及び動作モード設定信号ＣＭが供給される。動作モード設定信号ＣＭは、動作モードの一つとして、編集動作モードを指示する。
【００３３】
動作モード設定信号ＣＭが編集動作モードを指示するとき、エディット部１８においては、オーディオ・アウターパリティ誤訂正部１６からのオーディオ情報データＤＡＱにおけるオーディオデータの一部がインターリーブ処理部２４から得られるオーディオ情報データＤＲＩにおけるオーディオデータによって置き換えられることになるデータ置換処理が行われる。そして、エディット部１８から、編集用オーディオ情報データＤＡＸが得られる。
【００３４】
このようなエディット部１８により行われるデータ置換処理は、例えば、エディット部１８から得られる編集用オーディオ情報データＤＡＸにおけるオーディオデータについてのデインターリーブ処理が施されることになるとき、オーディオ情報データＤＡＱにおけるオーディオデータが次第に低減していって消滅するとともに、オーディオ情報データＤＲＩにおけるオーディオデータが次第に増大していくクロスフェード処理がなされたものとして、オーディオ情報データＤＡＱにおけるオーディオデータに代えてオーディオ情報データＤＲＩにおけるオーディオデータが得られるようにする処理（以下、編集開始クロスフェード処理という）と、それに続く、オーディオ情報データＤＲＩにおけるオーディオデータが継続的に得られるようにする処理（以下、編集期間処理という）と、その後の、オーディオ情報データＤＲＩにおけるオーディオデータが次第に低減していって消滅するとともに、オーディオ情報データＤＡＱにおけるオーディオデータが次第に増大していくクロスフェード処理がなされたものとして、オーディオ情報データＤＲＩにおけるオーディオデータに代えてオーディオ情報データＤＡＱにおけるオーディオデータが再び得られるようにする処理（以下、編集終了クロスフェード処理という）とを含むものとして行われる。
【００３５】
エディット部１８は、具体的には、例えば、図３に示される如くに構成される。この図３に示されるエディット部１８の具体例にあっては、オーディオ・アウターパリティ誤訂正部１６からのオーディオ情報データＤＡＱが、入力端子部３１を通じて供給される。入力端子部３１を通じたオーディオ情報データＤＡＱは、シリアル−パラレル変換部３２によりパラレルデータとされて、ランダムアクセスメモリ（ＲＡＭ）により形成されるメモリ部３３に供給される。
【００３６】
入力端子部３１を通じたオーディオ情報データＤＡＱは、フレーム始端検出部３４にも供給される。フレーム始端検出部３４においては、オーディオ情報データＤＡＱに含まれるＩＤコードがあらわす同期ブロック番号ｉに基づいて各フレームの始端部が検出され、検出された各フレームの始端部をあらわす検出出力信号ＳＦＩが形成される。フレーム始端検出部３４からの検出出力信号ＳＦＩは書込制御信号形成部３５に供給され、書込制御信号形成部３５において、検出出力信号ＳＦＩがあらわす各フレームの始端部に応じた書込制御信号ＱＷが形成され、それがメモリ部３３に供給される。それにより、メモリ部３３において、シリアル−パラレル変換部３２から供給されるオーディオ情報データＤＡＱについての書込みが、書込制御信号ＱＷに応じたアドレス制御がなされるもとで行われる。
【００３７】
また、インターリーブ処理部２４からのオーディオ情報データＤＲＩが、入力端子部３６を通じて、シリアル−パラレル変換部３７に供給され、シリアル−パラレル変換部３７によりパラレルデータとされて、オーディオデータ処理部３８及び付属情報データ処理部３９に供給される。オーディオデータ処理部３８においては、オーディオ情報データＤＲＩに含まれるオーディオデータが取り出され、それに対して、例えば、２チャンネル信号あるいは４チャンネル信号等の当該オーディオデータがあらわすオーディオ信号の実体に応じて必要とされる処理が施され、オーディオデータＤＲＡが形成される。そして、オーディオデータ処理部３８から得られるオーディオデータＤＲＡは、乗算部４０に供給される。また、付属情報データ処理部３９においては、オーディオ情報データＤＲＩに含まれる同期データ，ＩＤコード及びオーディオ補助データが取り出され、それらが付属情報データＤｒｐとされて、スイッチ４１の選択接点４１ｂに供給される。
【００３８】
また、入力端子部３６を通じたオーディオ情報データＤＲＩは、係数データ形成部４２に供給される。係数データ形成部４２には、オーディオ情報データＤＲＩに加えて、フレーム基準信号ＰＦ及びイネーブル信号ＰＥが供給され、さらに、動作モード設定信号ＣＭが供給される制御信号形成部４３から、動作モード設定信号ＣＭに応じて送出される制御信号ＣＫ１，ＣＫ２及びＣＫ３が供給される。制御信号ＣＫ１は、編集開始クロスフェード処理が行われるべきことを、制御信号ＣＫ２は、編集期間処理が行われるべきことを、そして、制御信号ＣＫ３は、編集終了クロスフェード処理が行われるべきことを、夫々あらわす。
【００３９】
係数データ形成部４２からは、メモリ部３３に書き込まれたオーディオ情報データＤＡＱに含まれるオーディオデータを構成するインターリーブ処理が施されたデータセグメントに夫々対応する複数の係数Ｋａをあらわす係数データセグメントを含んだ係数データＤＫＡ、及び、入力端子部３６を通じて供給されるオーディオ情報データＤＲＩに含まれるオーディオデータを構成するインターリーブ処理が施されたデータセグメントに夫々対応する複数の係数Ｋｒをあらわす係数データセグメントを含んだ係数データＤＫＲが、制御信号形成部４３から供給される制御信号ＣＫ１に応じては編集開始クロスフェード処理を行うためのものとされて、制御信号形成部４３から供給される制御信号ＣＫ２に応じては編集期間処理を行うためのものとされて、そして、制御信号形成部４３から供給される制御信号ＣＫ３に応じては編集終了クロスフェード処理を行うためのものとされて、夫々送出される。さらに、係数データ形成部４２からは、制御信号形成部４３から供給される制御信号ＣＫ１，ＣＫ２及びＣＫ３に応じて、入力端子部３６を通じて供給されるオーディオ情報データＤＲＩに含まれるオーディオデータを構成するインターリーブ処理が施されたデータセグメントの配列状態に応じた読出制御信号ＱＲが送出される。
【００４０】
係数データ形成部４２から送出される読出制御信号ＱＲは、メモリ部３３に供給され、メモリ部３３からのそれに書き込まれていたオーディオ情報データＤＡＱについての読出しが、読出制御信号ＱＲによるアドレス制御がなされるもとで行われる。それにより、メモリ部３３からオーディオ情報データＤＡＱが送出されて、オーディオデータ処理部４５及び付属情報データ処理部４６に供給される。オーディオデータ処理部４５においては、オーディオ情報データＤＡＱに含まれるオーディオデータが取り出され、それに対して、例えば、２チャンネル信号あるいは４チャンネル信号等の当該オーディオデータがあらわすオーディオ信号の実体に応じて必要とされる処理が施され、オーディオデータＤＡＡが形成される。そして、オーディオデータ処理部４５から得られるオーディオデータＤＡＡは、乗算部４０に供給されるとともに、誤訂正状況検出部４７に供給される。
【００４１】
乗算部４０には、係数データ形成部４２から送出される係数データＤＫＡ及び係数データＤＫＲが供給される。そして、乗算部４０においては、係数データ形成部４２から送出される係数データＤＫＡ及び係数データＤＫＲが供給されるとき、オーディオデータＤＡＡを構成するインターリーブ処理が施されたデータセグメントと係数データＤＫＡを構成する係数データセグメントにおける相互に対応するもの同士についての乗算処理と、オーディオデータＤＲＡを構成するインターリーブ処理が施されたデータセグメントと係数データＤＫＲを構成する係数データセグメントにおける相互に対応するもの同士についての乗算処理とが行われる。
【００４２】
オーディオデータＤＡＡを構成するインターリーブ処理が施されたデータセグメントと係数データＤＫＡを構成する係数データセグメントにおける相互に対応するもの同士についての乗算処理は、オーディオデータＤＡＡを構成するインターリーブ処理が施されたデータセグメントの夫々について、それに対応する係数データＤＫＡを構成する係数データセグメントがあらわす係数Ｋａが乗じられて得られるデータセグメントをあらわす乗算処理結果を生じ、その乗算処理結果に基づくオーディオデータＤＡＢが得られる。また、オーディオデータＤＲＡを構成するインターリーブ処理が施されたデータセグメントと係数データＤＫＲを構成する係数データセグメントにおける相互に対応するもの同士についての乗算処理は、オーディオデータＤＲＡを構成するインターリーブ処理が施されたデータセグメントの夫々について、それに対応する係数データＤＫＲを構成する係数データセグメントがあらわす係数Ｋｒが乗じられて得られるデータセグメントをあらわす乗算処理結果を生じ、その乗算処理結果に基づくオーディオデータＤＲＢが得られる。
【００４３】
そして、乗算部４０から得られるオーディオデータＤＡＢとオーディオデータＤＲＢとは、データ加算部５０において加算処理が施されてオーディオデータＤＡＷを形成するものとされ、データ加算部５０からオーディオデータＤＡＷが得られる。そして、データ加算部５０から得られるオーディオデータＤＡＷは、編集用オーディオデータとして、スイッチ５１における選択接点５１ａに供給される。
【００４４】
このような乗算部４０における乗算処理及びデータ加算部５０における加算処理によって、前述の編集開始クロスフェード処理，編集期間処理及び編集終了クロスフェード処理を経て、オーディオデータ処理部４５から得られるオーディオデータＤＡＡが、オーディオデータ処理部３８から得られるオーディオデータＤＲＡによって置き換えられることになるデータ置換処理が行われることになる。
【００４５】
斯かるオーディオデータＤＡＡとオーディオデータＤＲＡとについてのデータ置換処理に含まれる編集開始クロスフェード処理は、例えば、図４に示される如くに、読取用回転磁気ヘッド１１から得られるディジタル複合データＤＴＴに関連するフレーム基準信号ＰＦの前縁の直後における時点ｔ０からその後の時点ｔ２までの期間において行われる。この時点ｔ０から時点ｔ２までの期間においては、オーディオデータＤＡＡ及びオーディオデータＤＲＡが、インターリーブ処理が施されていることにより番号順でない所定の配置態様をもって連なる状態とされたセグメント番号Ｄ０，Ｄ４５，Ｄ９０，・・・・・によってあらわされることになる各々を構成する多数のデータセグメントが、相互同期状態をもって得られるようにされる。
【００４６】
また、斯かる際に、係数データ形成部４２から送出される係数データＤＫＡ及び係数データＤＫＲも、各々を構成する係数データセグメントが、時点ｔ０から時点ｔ２までの期間においてその始端の時点ｔ０から、オーディオデータＤＡＡ及びオーディオデータＤＲＡの夫々を構成するインターリーブ処理が施されたデータセグメントとの同期状態をもって得られる。そして、オーディオデータＤＡＡに対応する係数データＤＫＡにおける多数の係数データセグメントの夫々があらわす係数Ｋａが、乗算部４０においてオーディオデータＤＡＡを構成するデータセグメントとの乗算がなされて得られるオーディオデータＤＡＢに関するデインターリーブが施されるとき、オーディオデータＤＡＢを構成するデータセグメントが漸減していくことになるものとされ、また、オーディオデータＤＲＡに対応する係数データＤＫＲにおける係数データセグメントの夫々があらわす係数Ｋｒが、乗算部４０においてオーディオデータＤＲＡを構成するデータセグメントとの乗算がなされて得られるオーディオデータＤＲＢに関するデインターリーブが施されるとき、オーディオデータＤＲＢを構成するデータセグメントが漸増していくことになるものとされる。
【００４７】
また、係数データ形成部４２から送出される係数データＤＫＡ及び係数データＤＫＲの各々を構成する係数データセグメントが、時点ｔ０から時点ｔ２までの期間においてその始端の時点ｔ０から得られるのではなく、例えば、図５に示される如くに、時点ｔ０より遅い任意に設定される時点ｔ３から得られ始めるようになすこともできる。斯かる場合にあっても、得られる係数データＤＫＡ及び係数データＤＫＲの各々を構成する係数データセグメントの順序は、係数データＤＫＡ及び係数データＤＫＲの各々を構成する係数データセグメントが時点ｔ０から得られ始める場合と同様とされる。そして、オーディオデータＤＡＡに代えてオーディオデータＤＲＡが得られることになる編集開始クロスフェード処理が、フレーム基準信号ＰＦの前縁の直後の時点ｔ０より遅い任意に設定される時点、従って、フレームの途中の任意に設定される時点から開始されることになる。
【００４８】
編集開始クロスフェード処理に続くオーディオデータＤＲＡが得られる状態が継続される編集期間処理の後に行われる、オーディオデータＤＲＡに代えてオーディオデータＤＡＡが再び得られることになる編集終了クロスフェード処理も、上述の編集開始クロスフェード処理と同様にして行われる。
【００４９】
オーディオデータ処理部４５から得られるオーディオデータＤＡＡが供給される誤訂正状況検出部４７においては、オーディオデータＤＡＡがインナーパリティ誤訂正部１４及びオーディオ・アウターパリティ誤訂正部１６において誤訂正不可能とされた状況にある場合、その検出がなされる。そして、誤訂正状況検出部４７においてオーディオデータＤＡＡが誤訂正不可能とされた状況にあることが検出されると、誤訂正状況検出部４７から予め設定された誤コードデータＤＥが送出されて、それがスイッチ５１における選択接点５１ｂに供給されるとともに、切換制御信号Ｃ３を形成して送出する切換制御信号形成部５２に供給される。
【００５０】
切換制御信号形成部５２においては、誤コードデータＤＥが供給されるとき、その誤コードデータＤＥに応じて切換制御信号Ｃ３を変化させる。切換制御信号形成部５２から送出される切換制御信号Ｃ３は、スイッチ５１に供給されて、誤訂正状況検出部４７からの誤コードデータＤＥが供給されないとき、スイッチ５１にその可動接点５１ｃが選択接点５１ａに接続される状態をとらせ、また、誤訂正状況検出部４７からの誤コードデータＤＥが供給されるとき、スイッチ５１にその可動接点５１ｃが選択接点５１ｂに接続される状態をとらせる。
【００５１】
従って、スイッチ５１の可動接点５１ｃには、オーディオデータ処理部４５から得られるオーディオデータＤＡＡが誤訂正不可能とされた状況にない正常時においては、選択接点５１ａに供給されるデータ加算部５０からの、編集用オーディオデータとされるオーディオデータＤＡＷが導出され、また、オーディオデータＤＡＡが誤訂正不可能とされた状況にある異常時にあっては、誤訂正状況検出部４７からの誤コードデータＤＥが導出される。そして、このようにしてスイッチ５１から得られるオーディオデータＤＡＷもしくは誤コードデータＤＥは、スイッチ５３における選択接点５３ａに供給される。
【００５２】
メモリ部３３から送出されたオーディオ情報データＤＡＱが供給される付属情報データ処理部４６においては、オーディオ情報データＤＡＱに含まれる同期データ，ＩＤコード及びオーディオ補助データが取り出され、それらが付属情報データＤａｐとされて、スイッチ４１の選択接点４１ａに供給される。スイッチ４１は、制御信号形成部４３から動作モード設定信号ＣＭに応じて送出される制御信号Ｃ４によって制御され、制御信号Ｃ４に応じて、可動接点４１ｃが選択接点４１ａに接続されて、可動接点４１ｃに付属情報データＤａｐが導出される状態、もしくは、可動接点４１ｃが選択接点４１ｂに接続されて、可動接点４１ｃに付属情報データＤｒｐが導出される状態とされる。そして、スイッチ４１の可動接点４１ｃに導出される付属情報データＤａｐもしくは付属情報データＤｒｐが、スイッチ５３の可動接点５３ｂに供給される。
【００５３】
スイッチ５３は、制御信号形成部４３から動作モード設定信号ＣＭに応じて送出される送出される制御信号Ｃ５によって制御され、制御信号Ｃ５に応じて、可動接点５３ｃが選択接点５３ｂに接続されて、可動接点５３ｃに付属情報データＤａｐもしくは付属情報データＤｒｐが導出され、それに続いて、可動接点５３ｃが選択接点５３ａに接続されて、可動接点５３ｃにスイッチ５１からのオーディオデータＤＡＷもしくは誤コードデータＤＥが導出される状態が、オーディオデータＤＡＷもしくは誤コードデータＤＥにおける各データ同期ブロック分毎にとられる。それによりスイッチ５３においては、オーディオデータＤＡＷもしくは誤コードデータＤＥにおける各データ同期ブロック分に、付属情報データＤａｐもしくは付属情報データＤｒｐに基づく同期データ，ＩＤコード及びオーディオ補助データが付加されて、データ同期ブロックが形成されることになる。そして、斯かるデータ同期ブロックの連なりを含んで形成される、編集用オーディオ情報データＤＡＸが、スイッチ５３における可動接点５３ｃに得られ、パラレル−シリアル変換部５４においてパラレルデータとされて、出力端子５５（エディット部１８の出力端子）に導出される。
【００５４】
このようにして、エディット部１８から得られる編集用オーディオ情報データＤＡＸは、図２に示される例におけるスイッチ２６の選択接点２６ｂに供給される。スイッチ２６は、それに供給される制御信号Ｃ１に応じて、可動接点２６ｃが選択接点２６ａに接続されて、可動接点２６ｃにインタリーブ処理部２４から得られるオーディオ情報データＤＲＩが導出される状態、もしくは、可動接点２６ｃが選択接点２６ｂに接続されて、可動接点２６ｃにエディット部１８から得られる編集用オーディオ情報データＤＡＸが導出される状態がとられる。
【００５５】
スイッチ２６の可動接点２６ｃに導出されるオーディオ情報データＤＲＩもしくは編集用オーディオ情報データＤＡＸは、一旦、ランダムアクセスメモリ（ＲＡＭ）により形成されるメモリ部６０に書き込まれて格納される。そして、メモリ部６０から適宜読み出されたオーディオ情報データＤＲＩもしくは編集用オーディオ情報データＤＡＸが、スイッチ１７の選択接点１７ｂに供給される。
【００５６】
スイッチ１７にあっては、それに供給される制御信号Ｃ２に応じて、可動接点１７ｃが選択接点１７ａに接続されて、アウターパリティ誤訂正部１５から得られるオーディオ情報データＤＡＯが導出される状態、もしくは、可動接点１７ｃが選択接点１７ｂに接続されて、可動接点１７ｃにスイッチ２６から得られるオーディオ情報データＤＲＩもしくは編集用オーディオ情報データＤＡＸが導出される状態がとられる。
【００５７】
スイッチ１７の可動接点１７ｃに導出されるオーディオ情報データＤＡＯ，オーディオ情報データＤＲＩもしくは編集用オーディオ情報データＤＡＸは、デインターリーブ処理部６１に供給される。デインターリーブ処理部６１においては、オーディオ情報データＤＡＯ，オーディオ情報データＤＲＩもしくは編集用オーディオ情報データＤＡＸに含まれるオーディオデータに対して、１フレーム分のオーディオ情報データＤＡＯ，オーディオ情報データＤＲＩもしくは編集用オーディオ情報データＤＡＸの全体におけるオーディオデータを単位としての、インターリーブ処理が施されたデータセグメントについてのデインターリーブ処理が施され、それにより、本来のデータセグメントの配列をもって構成されるオーディオデータＤＡＤが得られる。このようにして、デインターリーブ処理部６１から得られるオーディオデータＤＡＤは、ディジタル信号処理部６２において必要な処理が施された後、ディジタル／アナログ（Ｄ／Ａ）変換部６３においてアナログ化されてオーディオ信号ＳＡとされ、再生オーディオ信号としてオーディオ信号出力端子６４に導出される。
【００５８】
このようにしてオーディオ信号出力端子６４に得られるオーディオ信号ＳＡにより、読取用回転磁気ヘッド１１から得られるディジタル複合データＤＴＴに基づいて得られるオーディオ情報データＤＡＯによりあらわされる音声の再生、あるいは、エディット部１８に供給されるオーディオ情報データＤＲＩもしくはエディット部１８から得られる編集用オーディオ情報データＤＡＸについてのモニターリングを行うことができる。
【００５９】
また、エディット部１８から得られる編集用オーディオ情報データＤＡＸは、アウターパリティ付加部６５に供給される。そして、編集用オーディオ情報データＤＡＸは、アウターパリティ付加部６５においてアウターパリティが付加され、さらに、それに加えて、インナーパリティ付加部６６においてインナーパリティが付加されて、記録用オーディオ情報データＤＤＺを形成するものとされる。そして、インナーパリティ付加部６６から得られる記録用オーディオ情報データＤＤＺが、記録増幅部６７を通じて記録用回転磁気ヘッド６８に供給され、記録用回転磁気ヘッド６８によって、磁気テープＴＰにおける複数の傾斜記録トラックＴＫの夫々における領域ＡＤのうちの、エディット部１８においてオーディオデータＤＲＡによるデータ置換えに供されたオーディオデータＤＡＡの元になったオーディオ情報データが記録されているものに記録される。
【００６０】
上述の如くにして、編集用オーディオ情報データＤＡＸが形成され、それに基づく記録用オーディオ情報データＤＤＺが記録用回転磁気ヘッド６８によって磁気テープＴＰに記録される編集動作モードがとられる本発明に係るディジタル情報記録再生装置にあっては、磁気テープＴＰから読取用回転磁気ヘッド１１により読み取られ、符号エラーについての誤訂正処理が施されるディジタル複合データＤＴＴから得られる、インターリーブ処理が施されたデータセグメントにより構成されるオーディオデータを含むオーディオ情報データＤＡＱと、それとは別の、インターリーブ処理が施されたデータセグメントにより構成されるオーディオデータを含むオーディオ情報データＤＲＩとから、編集用オーディオ情報データＤＡＸを形成するにあたり、オーディオ情報データＤＡＱさらにはオーディオ情報データＤＲＩについてのデインターリーブ処理が行われず、オーディオ情報データＤＡＱ及びオーディオ情報データＤＲＩの夫々が、インターリーブ処理が施されたデータセグメントにより構成されるオーディオデータを含む状態のもとでの処理に供されるので、ディジタル複合データＤＴＴが読み取られてから、それに基づくオーディオ情報データＤＡＱに対応する編集用オーディオ情報データＤＡＸが形成されるまでに要されるデータ処理時間が、比較的短い時間とされる。
【００６１】
また、編集用オーディオ情報データＤＡＸを得るにあたっての符号エラーについての誤訂正処理が、誤訂正処理が施されたオーディオ情報データＤＡＱを得るために必要な処理に限られるので、それにより、ディジタル複合データＤＴＴが読み取られてから、それに基づくオーディオ情報データＤＡＱに対応する編集用オーディオ情報データＤＡＸが形成されるまでに要されるデータ処理時間が、より一層短縮されることになる。
【００６２】
図３に示される係数データ形成部４２は、具体的には、例えば、図１に示される如くに構成される。この係数データ形成部４２の具体例は、メモリ部３３から送出されるオーディオ情報データＤＡＱに基づいてオーディオデータ処理部４５から得られるオーディオデータＤＡＡ及びインターリーブ処理部２４から得られるオーディオ情報データＤＲＩに基づいてオーディオデータ処理部３８から得られるオーディオデータＤＲＡの夫々が、１フレーム分を単位とするもとで、それを構成するデータセグメントについてのインターリーブ処理が、図９に示される如くの態様をもって施されており、それゆえ、夫々についてのインターリーブ処理が施された複数のデータセグメントの配列に、所定の規則性が見られることを利用して、オーディオデータＤＡＡを構成するインターリーブ処理が施されたデータセグメントに夫々対応する複数の係数Ｋａをあらわす係数データセグメントを含んだ係数データＤＫＡ、及び、オーディオデータＤＲＡを構成するインターリーブ処理が施されたデータセグメントに夫々対応する複数の係数Ｋｒをあらわす係数データセグメントを含んだ係数データＤＫＲ、さらには、メモリ部３３に供給される読出制御信号ＱＲを形成する。
【００６３】
図９に示されるインターリーブ処理態様のもとにあっては、１フレーム分のオーディオデータが記録される１０本の傾斜記録トラックＴＫのうちの０番目から４番目までの５本の組及び５番目から９番目までの５本の組の夫々に記録されるオーディオデータのデータセグメントについて、セグメント番号Ｄ０〜Ｄ１６１９の配列が、０番目の傾斜記録トラックＴＫについてのバイトポジション番号ｊ（１０〜８１）が１０であって同期ポジション番号ｉ（２〜１０）が２である位置に対応するＤ０から始まり、バイトポジション番号ｊ（１０〜８１）が２だけ増加するごとに４５づつ増加していき、また、同期ブロック番号ｉ（２〜１０）が、その２〜４，５〜７及び８〜１０の夫々の組のなかで、１だけ増加するごとに１５づつ増加していくものとされている。そして、０番目から４番目までの５本の傾斜記録トラックＴＫの組、及び、５番目から９番目までの５本の傾斜記録トラックＴＫの組の夫々について、同期ブロック番号ｉの２〜４，５〜７及び８〜１０の夫々の組の先頭のものに対応するセグメント番号は、順次、Ｄ０，Ｄ１０，Ｄ５，Ｄ３，Ｄ１３，Ｄ８，Ｄ６，Ｄ１，Ｄ１１，Ｄ９，Ｄ４，Ｄ１４，Ｄ１２，Ｄ７，Ｄ２（Ｄ０，Ｄ１０，Ｄ５，・・・・，Ｄ２）である。
【００６４】
編集開始クロスフェード処理を行うための係数データＤＫＡ及び係数データＤＫＲを得るには、係数データＤＫＡの係数データセグメントを、図９に示される如くに配列されたセグメント番号に夫々対応する値をとり、その値が大であるほど小であるものとされる係数Ｋａを有したものが、順次連なるものとし、一方、係数データＤＫＲの係数データセグメントを、図９に示される如くに配列されたセグメント番号に夫々対応する値をとり、その値が大であるほど大であるものとされる係数Ｋｒを有したものが、順次連なるものとすればよいことになる。
【００６５】
また、編集期間処理を行うための係数データＤＫＡ及び係数データＤＫＲを得るには、係数データＤＫＡの係数データセグメントを“０”をあらわす係数Ｋａを有するものとし、係数データＤＫＲの係数データセグメントを“１”をあらわす係数Ｋｒを有するものとすることで足りる。
【００６６】
さらに、編集開始クロスフェード処理を行うための係数データＤＫＡ及び係数データＤＫＲを得るには、係数データＤＫＡの係数データセグメントを、図９に示される如くに配列されたセグメント番号に夫々対応する値をとり、その値が大であるほど大であるものとされる係数Ｋａを有したものが、順次連なるものとし、一方、係数データＤＫＲの係数データセグメントを、図９に示される如くに配列されたセグメント番号に夫々対応する値をとり、その値が大であるほど小であるものとされる係数Ｋｒを有したものが、順次連なるものとすればよいことになる。
【００６７】
このようなもとで、図１に示される係数データ形成部４２の具体例にあっては、係数データＤＫＡ及びＤＫＲの元になる係数ソースデータＤＣＹ，ＤＣＢ及びＤＣＳを夫々供給できるものとされた３個の係数ソースデータ格納部７１，７２及び７３が備えられている。係数ソースデータ格納部７１が供給できる係数ソースデータＤＣＹは、図８において、バイトポジション番号ｊ（１０〜８１）が２だけ増加するごとに、セグメント番号が４５づつ増加していくことに鑑みて、４５をあらわすものとされる。係数ソースデータ格納部７２が供給できる係数ソースデータＤＣＢは、図９において、０番目から４番目までの５本の傾斜記録トラックＴＫの組、及び、５番目から９番目までの５本の傾斜記録トラックＴＫの組の夫々について、同期ブロック番号ｉの２〜４，５〜７及び８〜１０の夫々の組の先頭のものに対応するセグメント番号が、順次、Ｄ０，Ｄ１０，Ｄ５，・・・・，Ｄ２であることに鑑みて、１，１１，６，４，１４，９，７，１０，１２，１０，５，１５，１３，８，３（１，１１，６，・・・・，３）を順次あらわすものとされる。さらに、係数ソースデータ格納部７３が供給できる係数ソースデータＤＣＳは、図９において、同期ブロック番号ｉが、その２〜４，５〜７及び８〜１０の夫々の組のなかで、１だけ増加することに、セグメント番号が１５づつ増加していくことに鑑みて、０，１５，３０を順次あらわすものとされる。
【００６８】
また、図１に示される係数データ形成部４２の具体例にあっては、図３に示される入力端子部３６を通じて供給されるオーディオ情報データＤＲＩが、バイトカウンタ部７５に供給される。バイトカウンタ部７５には、フレーム基準信号ＰＦ及びイネーブル信号ＰＥも供給される。イネーブル信号ＰＥは、同期ブロック番号ｉによりあらわされる各データ同期ブロックの先頭（ｊ＝１０）において前縁が到来するものとされる。
【００６９】
そして、バイトカウンタ部７５においては、フレーム基準信号ＰＦの到来毎にリセットされる状態のもとで、イネーブル信号ＰＥの前縁においてカウント動作が開始されて、オーディオ情報データＤＲＩにおけるバイトポジション番号ｊによりあらわされる各バイトデータについてのカウントが行われ、そのカウント結果をあらわすバイトカウント出力データＤＹＣが得られる。このバイトカウンタ部７５からのバイトカウント出力データＤＹＣは、バイトデコーダ部７６及び読出制御信号形成部７７に供給されるとともに、同期ブロックカウンタ部７８に供給される。
【００７０】
同期ブロックカウンタ部７８においては、バイトカウント出力データＤＹＣがあらわすバイトデータについてのカウント結果に基づいて、オーディオ情報データＤＲＩにおける同期ブロック番号ｉによりあらわされる各データ同期ブロックについてのカウントが行われ、そのカウント結果をあらわす同期ブロックカウント出力データＤＬＣが得られる。この同期ブロックカウンタ部７８からの同期ブロックカウント出力データＤＬＣは、同期ブロック・トラックデコーダ部７９及び読出制御信号形成部７７に供給されるとともに、トラックカウンタ部８０に供給される。
【００７１】
トラックカウンタ部８０においては、同期ブロックカウント出力データＤＬＣがあらわすデータ同期ブロックについてのカウント結果に基づいて、磁気テープＴＰ上の傾斜記録トラックＴＫについてのカウントが行われ、そのカウント結果をあらわすトラックカウント出力データＤＴＣが得られる。このトラックカウンタ部８０からのトラックカウント出力データＤＴＣは、同期ブロック・トラックデコーダ部７９及び読出制御信号形成部７７に供給される。
【００７２】
バイトデコーダ部７６においては、バイトカウンタ部７５からのバイトカウント出力データＤＹＣがデコードされて、オーディオ情報データＤＲＩにおける各データ同期ブロックの先端（ｊ＝１０）においてラッチリセットパルスＰＬＲが送出され、さらに、２バイトで成る各データセグメントの中央においてラッチパルスＰＬ８３が送出されるとともに、２バイトで成る各データセグメント（各データ同期ブロックにおける先頭のものを除く）の先端においてラッチパルスＰＬ８２が送出される。
【００７３】
また、同期ブロック・トラックデコーダ部７９においては、同期ブロックカウンタ部７８からの同期ブロックカウント出力データＤＬＣとトラックカウンタ部８０からのトラックカウント出力データＤＴＣとがデコードされ、オーディオ情報データＤＲＩにおける同期ブロック番号ｉが変わるごとに、データ切換制御パルスＰＳＢが送出されるとともに、オーディオ情報データＤＲＩにおける同期ブロック番号ｉが２，５，８となる（繰り返す）ごとにデータ切換制御パルスＰＳＳが送出される。
【００７４】
このようなもとで、係数ソースデータ格納部７１から供給される４５をあらわす係数ソースデータＤＣＹは、データ加算部８１に供給される。データ加算部８１には、バイトデコーダ部７６から送出されるラッチリセットパルスＰＬＲとラッチパルスＰＬ８３とが供給されるラッチ部８３によりラッチされたデータも供給される。それにより、データ加算部８１から、係数ソースデータＤＣＹにラッチ部８３によりラッチされたデータが加算されて得られる加算データＤＣＹＡが得られて、それがバイトデコーダ部７６から送出されるラッチリセットパルスＰＬＲとラッチパルスＰＬ８２とが供給されるラッチ部８２に供給される。
【００７５】
ラッチ部８２においては、各データ同期ブロックの先端（ｊ＝１０）において到来するラッチリセットパルスＰＬＲに応じてラッチデータがリセットされるとともに、データ加算部８１からの加算データＤＣＹＡが、２バイトで成る各データセグメント（各データ同期ブロックにおける先頭のものを除く）の先端において到来するラッチパルスＰＬ８２に応じてラッチされる。そして、ラッチ部８２によりラッチされた加算データＤＣＹＡは、ラッチ部８３に供給される。
【００７６】
ラッチ部８３においては、各データ同期ブロックの先端（ｊ＝１０）において到来するラッチリセットパルスＰＬＲに応じてラッチデータがリセットされるとともに、ラッチ部８２においてラッチされた加算データＤＣＹＡが、２バイトで成る各データセグメントの中央において到来するラッチパルスＰＬ８３に応じてラッチされる。
【００７７】
また、ラッチ部８２によりラッチされた加算データＤＣＹＡは、データ加算部８４にも供給される。
【００７８】
一方、係数ソースデータ格納部７２には、同期ブロック・トラックデコーダ部７９から送出されるデータ切換制御パルスＰＳＢが供給される。そして、係数ソースデータ格納部７２からは、オーディオ情報データＤＲＩにおける同期ブロック番号ｉが２，５，８となる（繰り返す）ごとに到来するデータ切換制御パルスＰＳＢに応じて、オーディオ情報データＤＲＩにおける同期ブロック番号ｉが２，５，８となる（繰り返す）ごとに、１，１１，６，・・・・，３を順次あらわすものに変化していく係数ソースデータＤＣＢが取り出されて、データ加算部８５に供給される。
【００７９】
また、係数ソースデータ格納部７３には、同期ブロック・トラックデコーダ部７９から送出されるデータ切換制御パルスＰＳＳが供給される。そして、係数ソースデータ格納部７３から、オーディオ情報データＤＲＩにおける同期ブロック番号ｉが変わるごとに到来するデータ切換制御パルスＰＳＳに応じて、オーディオ情報データＤＲＩにおける同期ブロック番号ｉが変わるごとに、０，１５，３０を順次あらわすものに変化していく（繰り返す）係数ソースデータＤＣＳが取り出されて、データ加算部８５に供給される。
【００８０】
データ加算部８５においては、係数ソースデータ格納部７２から取り出される係数ソースデータＤＣＢと係数ソースデータ格納部７３から取り出される係数ソースデータＤＣＳとが加算されて加算データＤＢＳが形成され、その加算データＤＢＳがデータ加算部８４に供給される。データ加算部８４においては、ラッチ部８２においてラッチされた加算データＤＣＹＡとデータ加算部８５から得られる加算データＤＢＳとがさらに加算されることにより、図９に示される如くに配列されたセグメント番号に夫々対応する値をとり、その値が大であるほど大であるものとされる係数を有した複数の係数データセグメントが順次連なって構成される係数データＤＫＯが得られる。
【００８１】
このようにして、データ加算部８４から得られる係数データＤＫＯは、直接に係数データ選択制御部８６に供給されるとともに、逆係数データ形成部８７において、図９に示される如くに配列されたセグメント番号に夫々対応する値をとり、その値が大であるほど小であるものとされる係数を有した複数の係数データセグメントが順次連なって構成される逆係数データＤＫＱに変換されて、係数データ選択制御部８６に供給される。
【００８２】
さらに、データ加算部８４から得られる係数データＤＫＯは、オーバーフロー検出部８８にも供給される。オーバーフロー検出部８８にあっては、係数データＤＫＯがオーバーフローが発生した状態にあることが検出され、その検出がなされたときには、オーバーフロー検出信号ＣＯＶが送出されて係数データ選択制御部８６に供給される。
【００８３】
係数データ選択制御部８６には、図３に示される制御信号形成部４３から送出される制御信号ＣＫ１，ＣＫ２及びＣＫ３も選択的に供給される。さらに、係数データ選択制御部８６においては、“０”をあらわす係数を有した複数の係数データセグメントが順次連なって構成される“０”係数データＤＯＺと、“１”をあらわす係数を有した複数の係数データセグメントが順次連なって構成される“１”係数データＤＯＭとが、必要に応じて形成される。
【００８４】
係数データ選択部８６にあっては、制御信号ＣＫ１が供給され、かつ、オーバーフロー検出信号ＣＯＶが供給されないとき、逆係数データ形成部８７から得られる逆係数データＤＫＱが、図３に示される乗算部４０に供給される係数データＤＫＡとして導出されるとともに、データ加算部８４から得られる係数データＤＫＯが、図３に示される乗算部４０に供給される係数データＤＫＲとして導出される。
【００８５】
そして、制御信号ＣＫ１が供給されるもとで、オーバーフロー検出信号ＣＯＶが供給されるときには、“０”係数データＤＯＺと“１”係数データＤＯＭとが形成され、“０”係数データＤＯＺが、図３に示される乗算部４０に供給される係数データＤＫＡとして導出されるとともに、“１”係数データＤＯＭが、図３に示される乗算部４０に供給される係数データＤＫＲとして導出される。
【００８６】
また、制御信号ＣＫ２が供給されるときには、“０”係数データＤＯＺと“１”係数データＤＯＭとが形成され、“０”係数データＤＯＺが、図３に示される乗算部４０に供給される係数データＤＫＡとして導出されるとともに、“１”係数データＤＯＭが、図３に示される乗算部４０に供給される係数データＤＫＲとして導出される。
【００８７】
さらに、制御信号ＣＫ３が供給され、かつ、オーバーフロー検出信号ＣＯＶが供給されないとき、データ加算部８４から得られる係数データＤＫＯが、図３に示される乗算部４０に供給される係数データＤＫＡとして導出されるとともに、逆係数データ形成部８７から得られる逆係数データＤＫＱが、図３に示される乗算部４０に供給される係数データＤＫＲとして導出される。
【００８８】
そして、制御信号ＣＫ３が供給されるもとで、オーバーフロー検出信号ＣＯＶが供給されるときには、“０”係数データＤＯＺと“１”係数データＤＯＭとが形成され、“１”係数データＤＯＺが、図３に示される乗算部４０に供給される係数データＤＫＡとして導出されるとともに、“０”係数データＤＯＭが、図３に示される乗算部４０に供給される係数データＤＫＲとして導出される。
【００８９】
一方、バイトカウンタ部７５から得られるバイトカウント出力データＤＹＣ，同期ブロックカウンタ部７８から得られる同期ブロックカウント出力データＤＬＣ、及び、トラックカウンタ部８０から得られるトラックカウント出力データＤＴＣが供給される読出制御信号形成部７７においては、バイトカウント出力データＤＹＣ，同期ブロックカウント出力データＤＬＣ及びトラックカウント出力データＤＴＣの夫々に応じたものとされる読出制御信号ＱＲが形成され、それが、図３に示されるメモリ部３３に供給されるべく送出される。
【００９０】
上述の図１に示される係数データ形成部４２の具体例においては、係数ソースデータ格納部７１，７２及び７３が、オーディオデータＤＡＡ及びオーディオデータＤＲＡの夫々におけるインターリーブ処理がなされた複数のデータセグメントの配列状態特性に応じた係数ソースデータＤＣＹ，ＤＣＢ及びＤＳＣを格納した係数ソースデータ格納手段を形成しており、また、バイトカウンタ部７５，同期ブロックカウンタ部７８及びトラックカウンタ部８０が、オーディオデータＤＡＡ及びオーディオデータＤＲＡの夫々におけるインターリーブ処理がなされた複数のデータセグメントの配列状態特性に従ったカウント動作を行うカウント手段を形成している。それに加えて、バイトデコーダ部７６，同期ブロック・トラックデコーダ部７９，データ加算部８１，８４及び８５、及び、ラッチ部８２及び８３が、カウント手段のカウント結果に応じて、係数ソースデータ格納手段から得られる係数ソースデータについての演算を行う演算手段を形成しており、さらに、係数データ選択制御部８６，逆係数データ形成部８７及びオーバーフロー検出部８８が、演算手段から得られる演算結果に基づいて乗算部４０に供給される係数データＤＫＡ及び係数データＤＫＲを得るデータ出力手段を形成している。
【００９１】
そして、このような図１に示される係数データ形成部４２の具体例は、乗算部４０に供給される係数データＤＫＡ及び係数データＤＫＲを得ることができるものとしては、比較的簡単であって大規模とならない回路構成をもって形成することができるものとなる。
【００９２】
【発明の効果】
以上の説明から明らかな如く、本願の特許請求の範囲における請求項１から請求項７までのいずれかに記載された発明に係るディジタル情報記録再生装置にあっては、乗算部による、第１のディジタルデータに含まれる複数のデータセグメントと第１の係数データに含まれる複数の係数データセグメントとにおける相互に対応するもの同士についての乗算処理、及び、第２のディジタルデータに含まれる複数のデータセグメントと第２の係数データに含まれる複数の係数データセグメントとにおける相互に対応するもの同士についての乗算処理と、データ加算部による第１のディジタルデータに含まれる複数のデータセグメントに基づく乗算出力データを第２のディジタルデータに含まれる複数のデータセグメントに基づく乗算出力データに加算して編集用ディジタルデータを得る加算処理とが、第１のディジタルデータがそれを構成する複数のデータセグメントについてのインターリーブ処理が施された状態にあり、また、第２のディジタルデータがそれを構成する複数のデータセグメントについてのインターリーブ処理が施された状態にあるもとで行われるので、第１のディジタルデータが記録媒体から読み取られた時点から、その第１のディジタルデータに対応する、データ加算部からの編集用ディジタルデータについての、データ記録部への供給までに要されるデータ処理時間が、比較的短い時間とされて、編集用ディジタルデータについての、記録媒体における第１のディジタルデータが読み取られた位置への記録を適正に行えることになる。
【００９３】
そして、係数データ形成部が、第１及び第２のディジタルデータの夫々におけるインターリーブ処理がなされた複数のデータセグメントの配列状態特性に応じた係数ソースデータを格納した係数ソースデータ格納手段、及び、第１及び第２のディジタルデータの夫々におけるインターリーブ処理がなされた複数のデータセグメントの配列状態特性に従ったカウント動作を行うカウント手段を備えたもとで、演算手段により、カウント手段のカウント結果に応じて係数ソースデータ格納手段から得られる係数ソースデータについての演算を行い、データ出力手段によって、演算手段から得られる演算結果に基づいて第１及び第２の係数データを得るものとされることにより、係数データ形成部の回路構成の簡略化及び小規模化が図られる。
【００９４】
従って、本願の特許請求の範囲における請求項１から請求項７までのいずれかに記載された発明に係るディジタル情報記録再生装置によれば、記録媒体に記録された、インターリーブ処理が施された複数のデータセグメントを有する第１のディジタルデータについて、その一部が、インターリーブ処理が施された複数のデータセグメントを有する第２のディジタルデータにより、例えば、クロスフェード手法をもって置き換える編集を適正に行うことができ、しかも、その編集にあたって必要とされる、第１のディジタルデータに含まれるインターリーブ処理が施された複数のデータセグメントに夫々対応する複数の係数データセグメントを含んだ第１の係数データ、及び、第２のディジタルデータに含まれるインターリーブ処理が施された複数のデータセグメントに夫々対応する複数の係数データセグメントを含んだ第２の係数データが、比較的簡単で大規模とならない回路構成を有する係数データ形成部によって形成しかつ供給できることになる。
【図面の簡単な説明】
【図１】本願の特許請求の範囲における請求項１から請求項７までのいずれかに記載された発明に係るディジタル情報記録再生装置におけるエディット部に含まれる係数データ形成部の具体構成例を示すブロック接続図である。
【図２】本願の特許請求の範囲における請求項１から請求項７までのいずれかに記載された発明に係るディジタル情報記録再生装置の一例を示すブロック接続図である。
【図３】本願の特許請求の範囲における請求項１から請求項７までのいずれかに記載された発明に係るディジタル情報記録再生装置におけるエディット部の具体構成例を示すブロック接続図である。
【図４】図３に示されるエディット部についての具体構成例の動作説明に供されるタイムチャートである。
【図５】図３に示されるエディット部についての具体構成例の動作説明に供されるタイムチャートである。
【図６】ディジタルＶＴＲと共に使用される磁気テープの記録フォーマットの例を示す概念図である。
【図７】ディジタルＶＴＲにより磁気テープに記録されるオーディオ情報データのコーディング・フォーマットの例を示す概念図である。
【図８】ディジタルＶＴＲにより磁気テープに記録されるオーディオデータのデータフォーマットの例を示す概念図である。
【図９】オーディオデータのデータセグメントに施されたインターリーブ処理の態様の一例を示す概念図である。
【符号の説明】
１１  読取用回転磁気ヘッド      １４  インナーパリティ誤訂正部      １５  アウターパリティ誤訂正部      １６  オーディオ・アウターパリティ誤訂正部      １８  エディット部      ２２  Ａ／Ｄ変換部      ２３，６２  ディジタル信号処理部      ２４  インターリーブ処理部      ２５  制御ブロック      ３２，３７  シリアル−パラレル変換部      ３３，６０  メモリ部  ３４  フレーム始端検出部      ３５  書込制御信号形成部      ３８，４５  オーディオデータ処理部      ３９，４６  付属情報データ処理部      ４０  乗算部      ４２  係数データ形成部      ４３  制御信号形成部      ５０，８１，８４，８５  データ加算部      ５４  パラレル−シリアル変換部
６１  デインターリーブ処理部      ６３  Ｄ／Ａ変換部      ６５  アウターパリティ付加部      ６６  インナーパリティ付加部      ６７  記録増幅部      ６８  記録用回転磁気ヘッド      ７１，７２，７３  係数ソースデータ格納部        ７５  バイトカウンタ部      ７６  バイトデコーダ部
７７  読出制御信号形成部      ７８  同期ブロックカウンタ部      ７９  同期ブロック・トラックデコーダ部      ８０  トラックカウンタ部      ８２，８３  ラッチ部      ８６  係数データ選択制御部      ８７  逆係数データ形成部      ８８  オーバーフロー検出部
【図１】
0003994480.tif 000002
【図２】
0003994480.tif 000003
【図３】
0003994480.tif 000004
【図４】
0003994480.tif 000005
【図５】
0003994480.tif 000006
【図６】
0003994480.tif 000007
【図７】
0003994480.tif 000008
【図８】
0003994480.tif 000009
【図９】
0003994480.tif 000010